(57)【要約】  【課題】  アダプタを装着した場合にも適切な露出状態で撮像を行うことができる撮像装置を提供する。  【解決手段】  撮影光学系４１と、この撮影光学系４１により結像された被写体像を光電変換する撮像素子１５と、レンズ鏡筒３とカメラ本体２との間に着脱自在に装着され撮影光学系４１の焦点距離を長くするためのテレコンバータ４と、このテレコンバータ４を装着した後に撮像素子１５に入射する光束の実効絞り値を求め、実効絞り値の変化に応じて該撮像素子１５の実効的な感度が変化した分を補正するように露出条件を決定する本体ＣＰＵ３０と、を備えた撮像装置としてのデジタルカメラ。【選択図】図３
2006019942.tif 000002
【特許請求の範囲】
【請求項１】
被写体像を結像するための撮影光学系と、
上記撮影光学系により結像された被写体像を電気信号に変換するための撮像素子と、
上記撮影光学系の光学的特性を変換するために、該撮影光学系による光路中に着脱自在に配置され得るアダプタと、
上記アダプタを装着した後の上記撮像素子に入射する光束の実効絞り値を求める演算手段と、
上記実効絞り値に基づいて上記撮像素子の感度を補正する補正手段と、
を具備したことを特徴とする撮像装置。
【請求項２】
上記撮影光学系の光学的特性は、撮影光学系の焦点距離であることを特徴とする請求項１に記載の撮像装置。
【請求項３】
上記アダプタは、撮影光学系の焦点距離を長くするように変換するテレコンバータであることを特徴とする請求項２に記載の撮像装置。
【請求項４】
上記撮影光学系の光学的特性は、撮影光学系の最短撮影距離であり、
上記アダプタは、撮影光学系の最短撮影距離を短くするように変換する中間リングであることを特徴とする請求項１に記載の撮像装置。
【請求項５】
上記演算手段は、上記撮影光学系に係る瞳倍率と撮影倍率との少なくとも一方と、上記アダプタの光学的特性に係る情報と、に基づいて、上記実効絞り値を求めるものであることを特徴とする請求項１に記載の撮像装置。
【請求項６】
上記アダプタは、自己の種類に対応した上記光学的特性に係る情報を予め記憶するための記憶手段を有して構成されたものであることを特徴とする請求項５に記載の撮像装置。
【請求項７】
上記撮像素子を保持するとともに、上記演算手段を内蔵する撮像装置本体と、
上記撮像装置本体に着脱可能となるように構成されていて、上記撮影光学系を保持するレンズ鏡筒と、
をさらに具備し、
上記演算手段は、上記レンズ鏡筒から撮影倍率の情報と瞳倍率の情報との少なくとも一方を受信するとともに、上記アダプタから該アダプタの光学的特性に係る情報を受信して、受信した情報に基づき上記実効絞り値を求めるものであることを特徴とする請求項５または請求項６に記載の撮像装置。
【請求項８】
上記撮像素子を保持するとともに、上記補正手段を内蔵する撮像装置本体と、
上記撮像装置本体に着脱可能となるように構成されていて、上記撮影光学系を保持するとともに、上記演算手段を内蔵するレンズ鏡筒と、
をさらに具備し、
上記演算手段は、撮影倍率の情報と瞳倍率の情報との少なくとも一方と、上記アダプタから受信した該アダプタの光学的特性に係る情報と、に基づき、上記実効絞り値を求め、求めた実効絞り値を上記撮像装置本体の補正手段へ送信するものであることを特徴とする請求項５または請求項６に記載の撮像装置。
【請求項９】
上記補正手段は、上記実効絞り値に対応した上記撮像素子の感度の補正値を、テーブルとして記憶する第２の記憶手段を有して構成されたものであることを特徴とする請求項１に記載の撮像装置。
【発明の詳細な説明】
【技術分野】
【０００１】
本発明は、撮像装置、より詳しくは、撮影光学系の光学的特性を変換するアダプタを該撮影光学系による光路中に着脱自在に配置し得る撮像装置に関する。
【背景技術】
【０００２】
ＣＣＤを含む撮像素子は、その光学的構造により入射する光線の指向性が比較的強いことが知られている。つまり、特定の範囲内の角度から入射する光線は、ＣＣＤ上に配列したフォトダイオードにより光電変換することができるが、該角度範囲を超えた角度から入射する光線に対してはフォトダイオード前面に設けられた光学系の構造により、電気信号への変換率が低下してしまう。
【０００３】
従って、撮影光学系の絞り値を変化させると、撮像素子に入射する光線の角度が変化するために、実質的な撮像素子の感度が変化してしまうことが知られている。こうした、撮影光学系の絞り値の変化に応じて固体撮像素子の感度を補正する技術が従来より提案されており、特開平６−１７８１９８号公報や特開２００２−１８５８２２号公報などに記載されたものが例として挙げられる。
【０００４】
ところで、レンズ交換式のカメラにおいては、レンズ鏡筒とカメラ本体との間や、レンズ鏡筒の先端部に、中間リングやテレコンバータ、ワイドコンバータなどのアダプタを配置させて、異なる画角の撮影や、近接した被写体の撮影を行うようにする技術が知られている。こうしたアダプタを用いると、光学的な絞り値が変化するが、いわゆるＴＴＬ開放測光方式の銀塩カメラにおいては、撮影レンズを介して絞り開放時のフィルム面上に入射する光の輝度に相当する光を直接測定し、撮影時の絞り値の時の明るさを推定しているために、絞り値の変化に関わらず適切な露光量を得ることができていた。
【特許文献１】特開平６−１７８１９８号公報
【特許文献２】特開２００２−１８５８２２号公報
【発明の開示】
【発明が解決しようとする課題】
【０００５】
しかしながら、ＣＣＤ等の撮像素子を用いるデジタルカメラでは、このようなアダプタを用いた場合に、絞り値の変化に基づく露光量の変化に対応するだけでは十分ではなく、上述したような、絞り値の変化に基づき撮像素子へ入射する光線の指向性が変化することによる、撮像素子の実効的な感度の変化に対応する必要がある。
【０００６】
これに対して、特開平６−１７８１９８号公報や特開２００２−１８５８２２号公報に記載された技術は、こうしたアダプタを取り付けた場合を考慮したものとはなっていなかった。従って、アダプタを取り付けて撮像を行っても、撮像素子の感度が適切に補正されず、必ずしも適切な露出状態の画像を得ることができるとは限らなかった。
【０００７】
本発明は上記事情に鑑みてなされたものであり、アダプタを装着した場合にも適切な露出状態で撮像を行うことができる撮像装置を提供することを目的としている。
【課題を解決するための手段】
【０００８】
上記の目的を達成するために、第１の発明による撮像装置は、被写体像を結像するための撮影光学系と、上記撮影光学系により結像された被写体像を電気信号に変換するための撮像素子と、上記撮影光学系の光学的特性を変換するために該撮影光学系による光路中に着脱自在に配置され得るアダプタと、上記アダプタを装着した後の上記撮像素子に入射する光束の実効絞り値を求める演算手段と、上記実効絞り値に基づいて上記撮像素子の感度を補正する補正手段と、を具備したものである。
【０００９】
また、第２の発明による撮像装置は、上記第１の発明による撮像装置において、上記撮影光学系の光学的特性が、撮影光学系の焦点距離である。
【００１０】
さらに、第３の発明による撮像装置は、上記第２の発明による撮像装置において、上記アダプタが、撮影光学系の焦点距離を長くするように変換するテレコンバータである。
【００１１】
第４の発明による撮像装置は、上記第１の発明による撮像装置において、上記撮影光学系の光学的特性が撮影光学系の最短撮影距離であり、上記アダプタは、撮影光学系の最短撮影距離を短くするように変換する中間リングである。
【００１２】
第５の発明による撮像装置は、上記第１の発明による撮像装置において、上記演算手段が、上記撮影光学系に係る瞳倍率と撮影倍率との少なくとも一方と、上記アダプタの光学的特性に係る情報と、に基づいて、上記実効絞り値を求めるものである。
【００１３】
第６の発明による撮像装置は、上記第５の発明による撮像装置において、上記アダプタが、自己の種類に対応した上記光学的特性に係る情報を予め記憶するための記憶手段を有して構成されたものである。
【００１４】
第７の発明による撮像装置は、上記第５または第６の発明による撮像装置において、上記撮像素子を保持するとともに上記演算手段を内蔵する撮像装置本体と、上記撮像装置本体に着脱可能となるように構成されていて上記撮影光学系を保持するレンズ鏡筒と、をさらに具備し、上記演算手段は、上記レンズ鏡筒から撮影倍率の情報と瞳倍率の情報との少なくとも一方を受信するとともに、上記アダプタから該アダプタの光学的特性に係る情報を受信して、受信した情報に基づき上記実効絞り値を求めるものである。
【００１５】
第８の発明による撮像装置は、上記第５または第６の発明による撮像装置において、上記撮像素子を保持するとともに上記補正手段を内蔵する撮像装置本体と、上記撮像装置本体に着脱可能となるように構成されていて上記撮影光学系を保持するとともに上記演算手段を内蔵するレンズ鏡筒と、をさらに具備し、上記演算手段は、撮影倍率の情報と瞳倍率の情報との少なくとも一方と、上記アダプタから受信した該アダプタの光学的特性に係る情報と、に基づき、上記実効絞り値を求め、求めた実効絞り値を上記撮像装置本体の補正手段へ送信するものである。
【００１６】
第９の発明による撮像装置は、上記第１の発明による撮像装置において、上記補正手段が、上記実効絞り値に対応した上記撮像素子の感度の補正値を、テーブルとして記憶する第２の記憶手段を有して構成されたものである。
【発明の効果】
【００１７】
本発明の撮像装置によれば、アダプタを装着した場合にも適切な露出状態で撮像を行うことができる。
【発明を実施するための最良の形態】
【００１８】
以下、図面を参照して本発明の実施例を説明する。
【実施例１】
【００１９】
図１から図１１は本発明の実施例１を示したものであり、図１は、デジタルカメラの構成を示す一部断面を含む斜視図である。
【００２０】
このデジタルカメラ（以下、適宜、「カメラ」と省略する。）１は、撮像装置本体であるカメラ本体２と、このカメラ本体２に対して着脱自在のレンズ鏡筒３と、を含んで構成された撮像装置である。ただし、このカメラ１は、後述するように、カメラ本体２とレンズ鏡筒３との間や撮影レンズの先端に、テレコンバータ４（図３参照）や中間リング５（図４参照）等のアダプタを装着することができるようになっている。
【００２１】
レンズ鏡筒３は、複数のレンズを組み合わせて構成された撮影光学系４１を内部に保持している。
【００２２】
カメラ本体２は、撮影動作を行うためのレリーズボタン１７が外面に配設されており、また、前面側の略中央部にはレンズ鏡筒３を着脱自在に装着するためのマウント１８が設けられている。
【００２３】
一方、カメラ本体２は、その内部に、上記撮影光学系４１から入射される光束を上方へ反射するメインミラー１１と、このメインミラー１１により反射された被写体像を正立正像に変換するペンタプリズム１２と、このペンタプリズム１２により形成された像を拡大して観察されるように撮影者の眼へ投影する接眼レンズ１３と、が配設されていて、これらにより観察光学系が構成されている。なお、上記メインミラー１１は、上記撮影光学系４１から入射される光束の光路上に位置して該光束を上方へ反射する反射位置と、該光束の光路上から退避して光束をそのまま通過させる退避位置と、を取り得るクイックリターンミラーとして構成されたものである。
【００２４】
さらに、カメラ本体２は、上記メインミラー１１が退避位置を取ったときの光束の光路上後方に、光束の通過時間を制御するためのシャッタ１４が配設されている。このシャッタ１４は、例えば、フォーカルプレーン方式のシャッタとして構成されたものとなっている。
【００２５】
該シャッタ１４のさらに光路上後方には、上記撮影光学系４１により結像された光学的な被写体像を電気的な画像信号に変換するための撮像素子１５が配設されている。また、カメラ本体２内には、その他、電気回路基板１６等も配設されている。
【００２６】
このように、このカメラ１は、撮影光学系４１を介して入射する光束により、被写体像の観察を行うことができ、かつ、被写体像を撮像することができるように構成された、いわゆる一眼レフレックス方式のカメラとなっている。
【００２７】
次に、図２は、デジタルカメラ１の構成を示すブロック図である。
【００２８】
カメラ本体２には、上述したように、メインミラー１１と、ペンタプリズム１２と、接眼レンズ１３と、シャッタ１４と、撮像素子１５と、等が設けられていて、さらに、以下に説明するような構成が設けられている。
【００２９】
上記メインミラー１１は、一部が光束を透過可能となるように構成されていて、この透過部分の後方には、光束を下方に向けて反射するためのサブミラー１９が、該メインミラー１１の背面側となる位置に取り付けられている。
【００３０】
このサブミラー１９により反射された光束の光路上には、ＡＦセンサユニット２０が設けられていて、ＡＦセンサ駆動回路２１により、ＡＦ用に蓄積した電荷の読み出し等が行われ、カメラの自動焦点調節が可能になっている。
【００３１】
また、上記メインミラー１１およびサブミラー１９は、ミラー駆動機構２２により駆動されて、上記反射位置と退避位置とを取るようになっている。
【００３２】
上記シャッタ１４は、シャッタ駆動制御回路２３により、シャッタ幕を構成する先幕や後幕が制御されながら駆動されて、所定時間のシャッタ開口を形成するようになっている。
【００３３】
上記ペンタプリズム１２の近傍には、撮影光学系及び観察光学系を通過してくる光束の一部を用いて被写体の輝度を測定するための測光回路２４が配設されている。従って、この測光回路２４による測光は、ＴＴＬ測光となっている。
【００３４】
上記撮像素子１５は、画像処理回路２５により駆動されるようになっており、また、該撮像素子１５から出力される画像信号は、該画像処理回路２５によりノイズ除去や３板化などの各種の画像処理が行われるようになっている。
【００３５】
この画像処理回路２５には、画像メモリ２７が接続されており、画像処理回路２５は該画像メモリ２７をワークメモリとして用いて、画像データの処理を行うようになっている。
【００３６】
また、画像処理回路２５には、液晶モニタ２６が接続されており、フレーミング中の被写体や、撮像した画像などを表示することができるようになっている。
【００３７】
さらに、画像処理回路２５には、記録媒体２８が接続されていて、撮像した画像を該記録媒体２８に記録することができるようになっている。
【００３８】
カメラ本体２には、ＥＥＰＲＯＭ等で構成される第２の記憶手段たる不揮発性メモリ２９が設けられている。この不揮発性メモリ２９は、カメラを制御するために必要な各種の制御パラメータ等を記憶するものである。
【００３９】
不揮発性メモリ２９には、演算手段であり補正手段たる本体ＣＰＵ３０が接続されている。この本体ＣＰＵ３０は、カメラ本体２を制御するものであるとともに、該カメラ本体２やレンズ鏡筒３を含むカメラ１全体を統括的に制御する制御手段となっている。すなわち、この本体ＣＰＵ３０は、上記ＡＦセンサ駆動回路２１、ミラー駆動機構２２、シャッタ駆動制御回路２３、測光回路２４、画像処理回路２５や、後述するその他の回路等が接続されていて、これらの制御を行うようになっている。
【００４０】
カメラ本体２には、画像を表示するための上記液晶モニタ２６とは別に、該カメラ１の動作状態を表示するための動作表示用ＬＣＤ３１が設けられており、本体ＣＰＵ３０に接続されて制御されるようになっている。
【００４１】
さらに、カメラ１に係る各種の操作を行うためのカメラ操作スイッチ３２がカメラ本体２に設けられており、スイッチの状態が本体ＣＰＵ３０により検出されるようになっている。
【００４２】
そして、カメラ本体２には、電池等を含んで構成される電源回路３３が設けられており、本体ＣＰＵ３０へ電源を供給するとともに、その他の上記各回路へも電源を供給するようになっている。
【００４３】
また、カメラ本体２の上記マウント１８内には、レンズ鏡筒３と電気的に通信を行うための通信接点３４が設けられていて、この通信接点３４は、本体ＣＰＵ３０に接続されている。
【００４４】
一方、レンズ鏡筒３は、上述したように、撮影光学系４１が設けられていて、さらに、以下に説明するような構成が設けられている。
【００４５】
撮影光学系４１は、レンズ駆動機構４２により焦点位置の調整が行われるようになっている。
【００４６】
この撮影光学系４１の光路上には、光束の通過範囲を規制するための絞り４３が配設されており、この絞り４３は、絞り駆動機構４４により絞り値を調整可能になっている。
【００４７】
このレンズ鏡筒３には、レンズＣＰＵ４５が設けられている。このレンズＣＰＵ４５は、上記本体ＣＰＵ３０と通信を行いながら、上記レンズ駆動機構４２や絞り駆動機構４４を含むこのレンズ鏡筒３内の各回路を制御するものである。
【００４８】
さらに、レンズ鏡筒３には、通信接点４６が設けられていて、レンズＣＰＵ４５と接続されている。この通信接点４６は、カメラ本体２の上記通信接点３４と電気的に接続されるものである。
【００４９】
続いて、図３は、カメラ本体２とレンズ鏡筒３との間にテレコンバータ４を装着したときの構成を示すブロック図である。
【００５０】
テレコンバータ（以下、適宜「テレコン」と省略する。）４は、倍率変更光学系５１と、テレコンＣＰＵ５２と、通信接点５３，５４と、を有して構成されている。
【００５１】
倍率変更光学系５１は、レンズ鏡筒３の撮影光学系４１と協働することにより、該撮影光学系４１の焦点距離を長くする（つまり、テレ側にする）ものである。
【００５２】
テレコンＣＰＵ５２は、当該テレコンバータ４に係る情報を記憶している例えば不揮発性の記憶手段たるメモリ５２ａを有して構成されていて、本体ＣＰＵ３０からの要求に応じて、必要な情報を提供するものである。
【００５３】
また、一方の通信接点５３は、カメラ本体２の通信接点３４と接続するためのもの、他方の通信接点５４は、レンズ鏡筒３の通信接点４６と接続するためのものである。これらの通信接点５３，５４が接続されたときには、テレコンＣＰＵ５２は本体ＣＰＵ３０と通信を行うことが可能であるとともに、レンズＣＰＵ４５も本体ＣＰＵ３０と通信を行うことができるようになる。
【００５４】
さらに、図４は、カメラ本体２とレンズ鏡筒３との間に中間リング５を装着したときの構成を示すブロック図である。
【００５５】
中間リング５は、中間リングＣＰＵ６２と、通信接点６３，６４と、を有して構成されていて、上記レンズ鏡筒３による被写体までの最短撮影距離を短縮する機能を果たすものとなっている。
【００５６】
中間リングＣＰＵ６２は、当該中間リング５に係る情報を記憶している例えば不揮発性の記憶手段たるメモリ６２ａを有して構成されていて、本体ＣＰＵ３０からの要求に応じて、必要な情報を提供するものである。
【００５７】
また、一方の通信接点６３は、カメラ本体２の通信接点３４と接続するためのもの、他方の通信接点６４は、レンズ鏡筒３の通信接点４６と接続するためのものである。これらの通信接点６３，６４が接続されたときには、中間リングＣＰＵ６２は本体ＣＰＵ３０と通信を行うことが可能であるとともに、レンズＣＰＵ４５も本体ＣＰＵ３０と通信を行うことができるようになる。
【００５８】
次に、図５は、デジタルカメラ１の露出演算の処理を示すフローチャートである。
【００５９】
ここでは露出演算の処理を単独の処理として示すが、実際には、カメラ１の本体ＣＰＵ３０で動作するメインルーチンから呼び出されるサブルーチンとなっている。
【００６０】
この露出演算を開始すると、まず、設定されたＩＳＯ感度や、測光モード、露出モードなどの、撮影条件を読み込む（ステップＳ１）。
【００６１】
次に、通信接点３４を介して、レンズ側（つまり、レンズ鏡筒３、テレコンバータ４、中間リング５が装着されている側）と通信を行う（ステップＳ２）。これにより、レンズ鏡筒３から、該レンズ鏡筒３に係る情報が送信されるとともに、テレコンバータ４と中間リング５との少なくとも一方が装着されている場合には、その装着されたものからの情報が送信される。
【００６２】
ここで、図７は、テレコンバータ４に記憶されており、カメラ本体に送信されるデータを示す図表、図８は中間リング５に記憶されており、カメラ本体に送信されるデータを示す図表、図９はレンズ鏡筒３からカメラ本体へ送信され得るデータを示す図表である。
【００６３】
テレコンバータ４のメモリ５２ａは、図７に示すように、アダプタとしての自己を識別するための情報を、アクセサリ識別データとして記憶しており、例えば、このアクセサリ識別データとしてはテレコンバータであることを示す「１」が記憶されている。さらに、テレコンバータ４のメモリ５２ａには、該テレコンバータ４を装着したときに達成されるテレコン倍率（アダプタの光学的特性に係る情報）と、テレコンバータ４の個体毎に付されるシリアル番号と、が記憶されている。
【００６４】
中間リング５のメモリ６２ａは、図８に示すように、アダプタとしての自己を識別するための情報を、上記テレコンバータ４と同様にアクセサリ識別データとして記憶しており、例えば、このアクセサリ識別データとしては中間リングであることを示す「２」が記憶されている。さらに、中間リング５のメモリ６２ａには、レンズ鏡筒３の最短撮影距離を変化させるパラメータとなる中間リング長（アダプタの光学的特性に係る情報）と、中間リング５の個体毎に付されるシリアル番号と、が記憶されている。
【００６５】
レンズ鏡筒３は、該レンズ鏡筒３に固有のデータと、該レンズ鏡筒３の状態に応じて変化するデータと、をカメラ本体２へ送信するようになっている。ここに、固有のデータとしては、開放絞りおよび最小絞りがあり、これらのデータは、レンズＣＰＵ４５に内蔵される図示しないメモリ等に記憶されている。また、状態に応じて変化するデータとしては、被写体距離、現在の瞳倍率、現在の射出瞳位置、実効絞りがある。これらの内の実効絞りは、ここでは実効絞り１〜実効絞り１３までの１３種類の値をもち、カメラ側の制御に応じて、何れかの絞りで制御可能となっている。
【００６６】
なお、これら図７〜図９に示したデータは、テレコンバータ４、中間リング５、レンズ鏡筒３からカメラ本体へ送信され得るデータの例を示しただけであり、その他の各種のデータをさらに送信するようにしても構わない。
【００６７】
そして、受信した情報に基づき、テレコンバータ４が装着されているか否かを判断する（ステップＳ３）。
【００６８】
ここで、テレコンバータ４が装着されている場合には、レンズ鏡筒３から受信したレンズ開放絞り値に、テレコンバータ４から受信したテレコン倍率を掛けることにより、開放絞り値を算出するとともに、該レンズ鏡筒３から受信したレンズ最小絞り値に、該テレコン倍率を掛けることにより、最小絞り値を算出する（ステップＳ４）。
【００６９】
このステップＳ４の処理が終了するか、または上記ステップＳ３において、テレコンバータ４が装着されていないと判断された場合には、次に、上記測光回路２４により測光を行う（ステップＳ５）。ここに、測光は、上述したようにＴＴＬ測光であるために、テレコンバータ４や中間リング５が装着されているか否かにかかわらず、撮像素子１５に到達する被写体光量を正確に測定することができるようになっている。
【００７０】
そして、得られた測光値に基づいて、露出演算を行う（ステップＳ６）。すなわち、測光値ＢＶと撮像感度ＳＶとを次に示すように加算することにより、露出量ＥＶを算出する。  
ＥＶ＝ＢＶ＋ＳＶ
【００７１】
そして、算出された露出量ＥＶに基づいて、絞り値に対応するＡＰＥＸ値であるＡＶ値と、シャッタ秒時に対応するＡＰＥＸ値であるＴＶ値と、次に示すような式を満たすように各露出モードに従って、算出する（ステップＳ７）。  
ＡＶ＋ＴＶ＝ＥＶ
【００７２】
具体的には、絞り優先である場合にはＡＶ値が与えられるために、次の式
ＴＶ＝ＥＶ−ＡＶ
によってＴＶ値を算出することができ、シャッタ速度優先である場合にはＴＶ値が与えられるために、次の式
ＡＶ＝ＥＶ−ＴＶ
によってＡＶ値を算出することができる。また、所定のプログラム線図に従う場合には、ＥＶ値が与えられると、該ＥＶ値に対応するＡＶ値とＴＶ値との組み合わせが一意に定まるようになっている。
【００７３】
その後、後で詳しく説明するような、ＡＶ値に対する実効ＡＶ値算出の処理を行う（ステップＳ８）。この処理によって算出される実行ＡＶ値をＡＶＳとする。
【００７４】
こうして実効ＡＶ値ＡＶＳが算出されたら、該実効ＡＶ値ＡＶＳに対応したＣＣＤＦ値依存補正値（ＣＣＤ等の撮像素子の、絞り値に依存する感度の相違に応じた補正値）を図１０に示すようなテーブルから読み出して、この値をＨＯＳ＿ＣＣＤとし、ＣＣＤの感度補正量を算出する（ステップＳ９）。
【００７５】
ここに、図１０は、ＣＣＤＦ値依存補正テーブルに記憶されているデータの例を示す図表である。このＣＣＤＦ値依存補正テーブルは、例えば、上記本体ＣＰＵ３０に接続されている不揮発性メモリ２９に記憶されたものとなっている。
【００７６】
上述したように、ＣＣＤ等の撮像素子１５は、入射する光線に対する指向性が強いために、光線が斜めに入射してくるほど、つまり絞りの開口径が大きくなるほど、感度を低く見積もる必要がある。この図１０に示すＣＣＤＦ値依存補正テーブルは、ＡＶＳ値に各対応した、ＣＣＤ感度に対する補正値を示したものである。例えば、ＡＶＳが１のとき、つまりＡＶＳが５のときに対して絞りの開口径が大きいときには、ＣＣＤ感度の低下量（感度落ち量）を、該ＣＣＤ感度の０．５段相違していると見積もる必要があり、つまり実効的な感度を０．５段補正する必要があることを示している。また、例えば、ＡＶＳが３のときの補正値は０．１であるために、実効的な感度は０．１段相違すると見積もることになる。そして、ＡＶＳが５のときには、補正値は０となっている。
【００７７】
さらに、次の数式に示すように、制御可能なＡＶ値ＡＶ＿ＬＥＮＳと算出されたＡＶ値との差に応じてＴＶ値を補正するとともに（ステップＳ１０）、ＣＣＤの感度落ち量に応じてＴＶ値を補正し、補正後のＴＶ値をＴＶＳとする（ステップＳ１１）。  
ＴＶＳ＝ＴＶ−ＨＯＳ＿ＣＣＤ−（ＡＶ＿ＬＥＮＳ−ＡＶ）
【００７８】
つまりここでは、設定可能なＡＶ値と制御可能なＡＶ値との差、およびＣＣＤの感度落ち量、をシャッタ秒時で補正することにより、適正な露光を得るようにシャッタ秒時を変更している。
【００７９】
続いて、補正後のＴＶ値ＴＶＳと実効ＡＶ値ＡＶＳとに基づいて、制御用のシャッタ秒時と絞り値とをそれぞれ算出し（ステップＳ１２）、この処理を終了する。
【００８０】
続いて、図６は、ＡＶ値に対する実効ＡＶ値算出処理の詳細を示すフローチャートである。
【００８１】
この処理を開始すると、テレコンバータ４が装着されているか否かを判断する（ステップＳ２１）。
【００８２】
ここで、装着されていると判断された場合には、テレコンバータ４が装着されていないときのＡＶ値であるテレコンなしＡＶ値を算出し（これは、上記ステップＳ７の処理により得られたＡＶ値と同じであるために、改めて算出することなく記憶した値を用いても構わない。）（ステップＳ２４）、レンズ鏡筒３に対してこのテレコンなしＡＶ値を送信する（ステップＳ２５）。
【００８３】
その後、レンズ鏡筒３から、このテレコンなしＡＶ値に最も近く、かつ実際に制御することが可能なＡＶ値を受信して、これをＡＶ＿ＬＥＮＳとする（ステップＳ２６）。
【００８４】
そして、この制御可能なＡＶ値ＡＶ＿ＬＥＮＳに、次に示すように、テレコン倍率を乗算することにより、テレコンバータ４が装着されているときのＡＶ値であるテレコンありＡＶ値に変換する（なお、このテレコンありＡＶ値は、後のステップＳ２８の処理において、実効ＡＶ値ＡＶＳとして格納されるために、ここに示す数式の左辺は、ＡＶＳとしている。）（ステップＳ２７）。  
ＡＶＳ＝ＡＶ＿ＬＥＮＳ×（テレコン倍率）
【００８５】
また、上記ステップＳ２１において、テレコンバータ４が装着されていないと判断された場合には、レンズ鏡筒３に対して上記ステップＳ７において算出されたＡＶ値を送信する（ステップＳ２２）。
【００８６】
そして、レンズ鏡筒３から、このＡＶ値に最も近く、かつ実際に制御することが可能なＡＶ値を受信して、これをＡＶ＿ＬＥＮＳとする（ステップＳ２３）。
【００８７】
上記ステップＳ２７またはステップＳ２３が終了したら、ＡＶ値を実効ＡＶ値として格納する（ステップＳ２８）。
【００８８】
次に、中間リング５が装着されているか否かを判断する（ステップＳ２９）。
【００８９】
ここで、装着されていると判断された場合には、レンズ鏡筒３から現在のレンズ位置を受信して（ステップＳ３０）、さらに、該レンズ鏡筒３から現在のレンズ位置に応じた撮影倍率と瞳倍率データとを受信する（ステップＳ３１）。
【００９０】
ここに、図１１は、カメラ本体２がレンズ鏡筒３から受信し得るレンズ状態データの例を示す図表である。この図１１に示す例においては、現在の焦点距離、現在の被写体距離、現在のレンズ位置、現在の瞳倍率、現在の撮影倍率、の情報をレンズ状態データとして受信することができるようになっている。
【００９１】
そして、中間リング５から、中間リング長情報（図８参照）を受信する（ステップＳ３２）。
【００９２】
その後、中間リング長と、現時のレンズ位置とに基づいて、撮影倍率と瞳倍率とを補正し（ステップＳ３３）、補正された撮影倍率と瞳倍率とに基づき、次の数式、
所定の倍率時のＦＮＯ＝無限時のＦＮＯ×（１＋撮影倍率／瞳倍率）
により、所定の倍率時のＦ値を算出する（なお、この所定の倍率時のＦ値は、後のステップＳ３５の処理において、実効ＡＶ値ＡＶＳとして格納されるために、上記数式の左辺は、ＡＶＳとしている。）（ステップＳ３４）。ここに、瞳倍率は、よく知られているように、射出瞳径を入射瞳径で割ったものである。
【００９３】
このステップＳ３４の処理が終了するか、または上記ステップＳ２９において中間リング５が装着されていないと判断された場合には、補正後のＡＶ値をＡＶＳに格納して（ステップＳ３５）、上記図５に示した処理に復帰する。
【００９４】
なお、上述では、アダプタとしてテレコンバータ４と中間リング５を例に挙げたが、これらに限らず、レンズ鏡筒３の光学性能を変化させるようなアダプタ一般について、上記技術を広く適用することが可能である。
【００９５】
また、上述では、カメラ本体２とレンズ鏡筒３との間に装着されるアダプタを例に挙げたが、例えばレンズ鏡筒３の先端側（被写体側）に装着されるようなアダプタであっても、上記技術を適用することが可能である。ただし、この場合には、アダプタをレンズ鏡筒３やカメラ本体２と通信可能にするための通信接点を、該アダプタに設けるだけでなく、さらにレンズ鏡筒３にも設ける必要がある。
【００９６】
このような実施例１によれば、テレコンバータや中間リングなどのアダプタを装着したときの実効絞り値の変化に対応して、固体撮像素子の実効感度を適切に補正するようにしたために、適切な露光量で撮影を行うことが可能となる。
【実施例２】
【００９７】
図１２から図１４は本発明の実施例２を示したものであり、図１２はデジタルカメラの構成を示すブロック図である。
【００９８】
この実施例２において、上述の実施例１と同様である部分については同一の符号を付して説明を省略し、主として異なる点についてのみ説明する。
【００９９】
上述した実施例１のカメラは、アダプタを取り付けることにより変化するＡＶ値（実効ＡＶ値）の計算をカメラ本体２側で行うものであったが、この実施例２のカメラは、該実効ＡＶ値の計算をレンズ鏡筒３側で行うようにしたものである。
【０１００】
すなわち、アダプタ６は、アダプタＣＰＵ７２と、通信接点７３，７４，７５と、を有して構成されている。なお、このアダプタ６は、中間リング５のタイプのものであっても良いし、あるいはテレコンバータ４のタイプのものであっても構わない。後者の場合には、アダプタ６内に、上記図３に示したものと同様の倍率変更光学系５１が設けられていることになる。
【０１０１】
アダプタＣＰＵ７２は、当該アダプタ６に係る情報を記憶している例えば不揮発性の記憶手段たるメモリ７２ａを有して構成されていて、演算手段たるレンズＣＰＵ４５からの要求に応じて、必要な情報を提供するものである。
【０１０２】
また、一組の通信接点７３，７４は、カメラ本体２の通信接点３４とレンズ鏡筒３の通信接点４６とを接続するためのものであり、アダプタＣＰＵ７２には接続されていない。すなわち、これらの通信接点７３，７４は、本体ＣＰＵ３０とレンズＣＰＵ４５とが互いに通信を行うための通信経路を構成するものとなっている。
【０１０３】
一方、他の通信接点７５は、レンズ鏡筒３の後述する通信接点４７と接続するためのものであり、このアダプタ６の内部においてはアダプタＣＰＵ７２に接続されている。すなわち、通信接点７５と通信接点４７とが接続されたときには、アダプタＣＰＵ７２はレンズＣＰＵ４５と通信を行うことが可能となる。
【０１０４】
また、レンズ鏡筒３は、上記撮影光学系４１、レンズ駆動機構４２、絞り４３、絞り駆動機構４４、レンズＣＰＵ４５、通信接点４６が設けられているとともに、さらに、通信接点４７が設けられている。
【０１０５】
上記通信接点４６は、レンズ鏡筒３がカメラ本体２に直接装着されるときには、カメラ本体２の通信接点３４と接続するためのものであり、アダプタ６を介してカメラ本体２に装着されるときには、アダプタ６の通信接点７４と接続するためのものである。
【０１０６】
上記通信接点４７は、アダプタ６が装着されたときにのみ、該アダプタ６の通信接点７５と接続するためのものである。従って、アダプタＣＰＵ７２は、レンズＣＰＵ４５とのみ直接通信を行い、本体ＣＰＵ３０と直接通信を行うことはない。
【０１０７】
次に、図１３はカメラ本体２の本体ＣＰＵ３０により行われる露出演算の処理を示すフローチャートである。
【０１０８】
本実施例の露出演算処理は、上述した実施例１の図５に示した露出演算処理と基本的には同様であるが、ＡＶ値に対する実効ＡＶ値算出をレンズ鏡筒３側で行うようにしているために、該図５に示したステップＳ３，Ｓ４，Ｓ８の処理は行わない。そして、ステップＳ８の処理に代えて、レンズ鏡筒３と通信を行い必要なデータを送受信するレンズ通信処理を行うようになっている（ステップＳ４１）。すなわち、上記ステップＳ７の処理の後に行われるこのレンズ通信の処理においては、カメラ本体２は、測光回路２４による測光値に基づき算出したＡＶ値をレンズ鏡筒３へ送信する。レンズ鏡筒３は、受信したＡＶ値に基づいて、後述する図１４に示すように実効ＡＶ値を算出し、カメラ本体２へ送信する。こうして、カメラ本体２は、レンズ鏡筒３から実効ＡＶ値を受信する。このステップＳ４１の処理を行った後は、上記ステップＳ９の処理へ移行し、その後は上記図５において説明したのと同様である。
【０１０９】
続いて、図１４は、レンズ鏡筒３のレンズＣＰＵ４５により行われる、ＡＶ値に対する実効ＡＶ値算出の処理を示すフローチャートである。
【０１１０】
本実施例のＡＶ値に対する実効ＡＶ値算出の処理は、本体ＣＰＵ３０ではなくレンズＣＰＵ４５により処理が実行されるという点を除いて、上述した実施例１の図６に示した処理と基本的には同様である。ただし、アダプタ６との通信は、該レンズＣＰＵ４５が行うために、この処理を開始した時点で、中間アダプタ通信の処理を行う（ステップＳ４６）。これにより、アダプタ６（例えば、上記実施例１のテレコンバータ４や中間リング５に相当するアダプタ）が装着されている場合には、そのアダプタＣＰＵ７２から、レンズＣＰＵ４５が必要なデータを受信する。
【０１１１】
このステップＳ４６の処理が終了したら、上記ステップＳ２１の処理へ移行し、その後は上記図５を参照して説明したのと同様である。
【０１１２】
このような実施例２によれば、上述した実施例１とほぼ同様の効果を奏するとともに、レンズ鏡筒３のレンズＣＰＵ４５により実効ＡＶ値を算出するようにしたために、本体ＣＰＵ３０の処理の負荷を軽減することができる。
【０１１３】
また、レンズ鏡筒３からの情報と、アダプタ６からの情報と、を別々にカメラ本体２へ送信する必要がないために、通信接点の数を少なくすることも可能となる。通信接点の数を少なくすることにより、信頼性を向上することができるとともに、カメラ本体の構成を簡単にして、コストを削減することが可能となる。
【０１１４】
さらに、アダプタ６が装着されたときの実効ＡＶ値を算出する機能を備えていないカメラ本体に対しても、レンズ鏡筒３およびアダプタ６を組み合わせて装着すれば、適切な露光量で撮像することが可能となる。
【０１１５】
なお、本発明は上述した実施例に限定されるものではなく、発明の主旨を逸脱しない範囲内において種々の変形や応用が可能であることは勿論である。
【産業上の利用可能性】
【０１１６】
本発明は、撮影光学系の光学的特性を変換するアダプタを該撮影光学系による光路中に着脱自在に配置し得る撮像装置に好適に利用することができる。
【図面の簡単な説明】
【０１１７】
【図１】本発明の実施例１におけるデジタルカメラの構成を示す一部断面を含む斜視図。
【図２】上記実施例１におけるデジタルカメラの構成を示すブロック図。
【図３】上記実施例１において、カメラ本体とレンズ鏡筒との間にテレコンバータを装着したときの構成を示すブロック図。
【図４】上記実施例１において、カメラ本体とレンズ鏡筒との間に中間リングを装着したときの構成を示すブロック図。
【図５】上記実施例１におけるデジタルカメラの露出演算の処理を示すフローチャート。
【図６】上記実施例１におけるＡＶ値に対する実効ＡＶ値算出処理の詳細を示すフローチャート。
【図７】上記実施例１において、テレコンバータに記憶されており、カメラ本体に送信されるデータを示す図表。
【図８】上記実施例１において、中間リングに記憶されており、カメラ本体に送信されるデータを示す図表。
【図９】上記実施例１において、レンズ鏡筒からカメラ本体へ送信され得るデータを示す図表。
【図１０】上記実施例１において、ＣＣＤＦ値依存補正テーブルに記憶されているデータの例を示す図表。
【図１１】上記実施例１において、カメラ本体がレンズ鏡筒から受信し得るレンズ状態データの例を示す図表。
【図１２】本発明の実施例２におけるデジタルカメラの構成を示すブロック図。
【図１３】上記実施例２において、カメラ本体の本体ＣＰＵにより行われる露出演算の処理を示すフローチャート。
【図１４】上記実施例２において、レンズ鏡筒のレンズＣＰＵにより行われる、ＡＶ値に対する実効ＡＶ値算出の処理を示すフローチャート。
【符号の説明】
【０１１８】
１…デジタルカメラ（撮像装置）
２…カメラ本体（撮像装置本体）
３…レンズ鏡筒
４…テレコンバータ（アダプタ）
５…中間リング（アダプタ）
６…アダプタ
１４…シャッタ
１５…撮像素子
２３…シャッタ駆動制御回路
２４…測光回路
２９…不揮発性メモリ（ＥＥＰＲＯＭ）（第２の記憶手段）
３０…本体ＣＰＵ（演算手段、補正手段）
３４…通信接点
４１…撮影光学系
４２…レンズ駆動機構
４３…絞り
４４…絞り駆動機構
４５…レンズＣＰＵ（演算手段）
４６，４７…通信接点
５２…テレコンＣＰＵ
５２ａ…メモリ（記憶手段）
５３，５４…通信接点
６２…中間リングＣＰＵ
６２ａ…メモリ（記憶手段）
６３，６４…通信接点
７２…アダプタＣＰＵ
７２ａ…メモリ（記憶手段）
７３，７４，７５…通信接点
代理人    弁理士      伊    藤      進
【図１】
2006019942.tif 000003
【図２】
2006019942.tif 000004
【図３】
2006019942.tif 000005
【図４】
2006019942.tif 000006
【図５】
2006019942.tif 000007
【図６】
2006019942.tif 000008
【図７】
2006019942.tif 000009
【図８】
2006019942.tif 000010
【図９】
2006019942.tif 000011
【図１０】
2006019942.tif 000012
【図１１】
2006019942.tif 000013
【図１２】
2006019942.tif 000014
【図１３】
2006019942.tif 000015
【図１４】
2006019942.tif 000016